(57)【要約】【課題】本発明の課題は、一つの鉄筋キャップで、任意のサイズの鉄筋キャップに被せても、鉄筋係止部２０４が柔軟に曲がり、複数の鉄筋係止部２０４の面で鉄筋を把持できる鉄筋キャップを提供することである。【解決手段】本発明による鉄筋キャップは、鉄筋に被せるときに鉄筋を通すための筒状部と、人が鉄筋を踏み抜かないための広い傘状部を有し、前記筒状部は、前記傘状部の凹面側の略中央に接続され、前記筒状部は、鉄筋を把持するための鉄筋係止部を有し、前記鉄筋係止部は、柔軟な複数の羽状又は、塊状であって、前記筒状部の内壁で長さ方向のみに接続されていることで、鉄筋のサイズに自在に対応して変形する。【選択図】図１
2008144383.tif 000002
【特許請求の範囲】
【請求項１】
鉄筋に被せるときに前記鉄筋を通すための筒状部と、人が前記鉄筋を踏み抜かないための広い傘状部を有し、前記筒状部は、前記傘状部の凹面側の略中央に接続され、前記筒状部は、前記鉄筋を把持するための鉄筋係止部を有し、前記鉄筋係止部は、前記鉄筋の押し付けに対応して変形し、前記鉄筋の径に自在に対応するように柔軟性を有する複数の羽状体又は、塊状体を有し、前記筒状部の内壁で長さ方向のみに接続されていることを特徴とする鉄筋キャップ。
【請求項２】
前記鉄筋キャップは、鉄、又はアルミニウムの単体又は合金、天然ゴム、生分解性プラスチックの少なくとも一つを素材に形成されたことを特徴とする請求項１記載の鉄筋キャップ。
【請求項３】
前記筒状部の前記鉄筋を挿入する筒穴の内部には、前記人が接触した衝撃を緩和する衝撃緩和部を付設したことを特徴とする請求項１又は請求項２記載の鉄筋キャップ。
【請求項４】
前記衝撃緩和部は、ゴム、バネ、樹脂膜に封じられた粘性油のいずれかで構成されたことを特徴とする請求項１から請求項３のいずれかに記載の鉄筋キャップ。
【発明の詳細な説明】
【技術分野】
【０００１】
本発明は、接触や踏み付けによる作業人の負傷を防止するために、工事現場の鉄筋の端に被せる鉄筋キャップ、特に任意の径の鉄筋を挿入したときに、自在に把持できる鉄筋係止部を有する鉄筋キャップに関するものである。  
【背景技術】
【０００２】
従来、工事現場では、鉄筋の端が存在すると、作業員が不用意に接触したり、踏みつけたあるいは、転倒したときに負傷することがあり、端を曲げたり、被せる鉄筋キャップが提案されてきた。
【０００３】
従来提案されてきた鉄筋キャップを特許文献で振り返ってみると、人の接触を受け、負傷を防止するためのきのこの傘のような広い傘面を持つものは、特許文献１、特許文献２、特許文献３、特許文献４、特許文献５、特許文献６、特許文献７、特許文献８に示されている。鉄筋をはさみ、把持する構造が、特許文献２、特許文献３、特許文献４、特許文献６、特許文献７に示されている。接触のときの衝撃を和らげる緩衝用の構造が、特許文献１に示されている。図２は、従来の鉄筋キャップを示す斜視図であって、鉄筋キャップ２０１は、鉄筋を通すための筒状部２０２と、人が踏みつけたり、触れたりしても鉄筋を踏み抜かないための広い傘状部２０３を有し、筒状部２０２は、傘状部２０３の凹面側に接続されている。筒状部２０２には、鉄筋を挿入した場合に、鉄筋を係止する鉄筋係止部２０４が付いている。特許文献４にみられる鉄筋係止部２０４が、２−Ａに示されている。これは、筒状部２０２の筒の長さ方向の一部に設置され、筒状部２０２の内径部に接続し、中心方向にはみ出すように柔軟性の鉄筋係止部２０４が作成されている。このため、鉄筋を挿入すると、挿入につれ、鉄筋係止部２０４が容易に開いて、鉄筋を押さえることができる反面、長さ方向の一部のみでの押さえとなるため、鉄筋の押さえが弱く、鉄筋が容易に傾きぶらぶらしてしまう欠点がある。２−Ｂに示したのは、容易に曲がらない堅い鉄筋係止部２０４が、ここでは３枚の羽からなっていて、筒状部２０２の長さ方向と、傘状部２０３とに接続されている構成を示す。点線及び実線の太線部が接続部分である。これは、長さ方向には、鉄筋が固定され、ぶらぶらすることがないが、材質が堅いことと、接続部が長さ方向と傘状部２０３であるため、鉄筋係止部２０４が固定され、決まった径の鉄筋を鉄筋係止部２０４の端で把持できるだけで、違った径の鉄筋のためには、径対応で鉄筋キャップをおのおの用意しなければならない欠点がある。
【特許文献１】特開平６−３２１２５１
【特許文献２】特開平８−１２８４２９
【特許文献３】特開平９−２９１７０５
【特許文献４】特開平１１−２４１５１２
【特許文献５】特開２００１−１７３２３５
【特許文献６】特開２００２−５４３０５
【特許文献７】特開２００３−３４３０３９
【特許文献８】特開２００４−１１６１４３
【発明の開示】
【発明が解決しようとする課題】
【０００４】
上記のような事情から、解決しようとする課題は、一つの鉄筋キャップで、任意の径の鉄筋キャップに被せても、鉄筋係止部２０４が柔軟に曲がり、複数の鉄筋係止部２０４の面で鉄筋を把持できる鉄筋キャップを提供することである。
【課題を解決するための手段】
【０００５】
上記の課題を解決するための手段として、本発明による鉄筋キャップは、鉄筋に被せるときに鉄筋を通すための筒状部と、人が鉄筋を踏み抜かないための広い傘状部を有し、前記筒状部は、前記傘状部の凹面側の略中央に接続され、前記筒状部は、鉄筋を把持するための鉄筋係止部を有し、前記鉄筋係止部は、柔軟な複数の羽状又は、塊状であって、前記筒状部の内壁で長さ方向のみに接続されていることで、簡単な構成であるが、鉄筋の径に自在に対応して変形することが可能となっている。以下、請求項に沿って説明する。
【０００６】
請求項１記載の発明は、鉄筋キャップであって、鉄筋に被せるときに前記鉄筋を通すための筒状部と、人が前記鉄筋を踏み抜かないための広い傘状部を有し、前記筒状部は、前記傘状部の凹面側の略中央に接続され、前記筒状部は、前記鉄筋を把持するための鉄筋係止部を有し、前記鉄筋係止部は、前記鉄筋の押し付けに対応して変形し、前記鉄筋のサイズに自在に対応するように柔軟性を有する複数の羽状体又は、塊状体を有し、前記筒状部の内壁で長さ方向のみに接続されていることを特徴とする。
【０００７】
請求項２記載の発明は、請求項１記載の鉄筋キャップにおいて、前記鉄筋キャップは、鉄、又はアルミニウムの単体又は合金、天然ゴム、生分解性プラスチックの少なくとも一つを素材に形成されたことを特徴とする。これにより、環境を配慮した製品が可能である。
【０００８】
請求項３記載の発明は、請求項１又は請求項２記載の鉄筋キャップにおいて、前記筒状部の前記鉄筋を挿入する筒穴の内部には、前記人が接触した衝撃を緩和する衝撃緩和部を付設したことを特徴とする。これにより負傷を軽減できる。
【０００９】
請求項４記載の発明は、請求項１から請求項３のいずれかに記載の鉄筋キャップにおいて、前記衝撃緩和部は、ゴム、バネ、樹脂膜に封じられた粘性油のいずれかで構成されたことを特徴とする。
【発明の効果】
【００１０】
以上のように構成されているので、本発明による鉄筋キャップでは、鉄筋の任意の径にたいして、鉄筋係止部が自在に変形し、鉄筋を把持することができる。
【発明を実施するための最良の形態】
【００１１】
本発明による鉄筋キャップは、鉄筋に被せるときに鉄筋を通すための筒状部と、人が鉄筋を踏み抜かないための広い傘状部を有し、前記筒状部は、前記傘状部の凹面側の略中央に接続され、前記筒状部は、鉄筋を把持するための鉄筋係止部を有し、前記鉄筋係止部は、柔軟な複数の羽状又は、塊状であって、前記筒状部の内壁で長さ方向のみに接続されていて、鉄筋の径に自在に対応して変形することが可能となっている。以下、実施例を用い説明する。
【００１２】
図１は、本発明による鉄筋キャップの斜視図である。Ａ−１において、鉄筋キャップ１０１は、鉄筋に被せるときに鉄筋を通すための筒状部１０２と、人が踏みつけたり、触れたりしても鉄筋を踏み抜かないための広い傘状部１０３を有し、筒状部１０２は、傘状部１０３の凹面側の略中央に接続されている。接続は、ネジ込み、溶接、型一体成形など種々の仕方がとれる。筒状部１０２の傘状部１０３への接続部とは反対側の端から、鉄筋を挿入するための筒穴１０５が開いている。筒穴の奥には、鉄筋を挿入したときに鉄筋を把持するための鉄筋係止部１０４があって、前記鉄筋係止部１０４は、柔軟な複数の羽状又は、塊状であって、前記筒状部１０２の内壁で長さ方向のみに接続されているため、挿入した鉄筋により容易に変形して、前記鉄筋係止部１０４の面で鉄筋を把持することができ、任意の径（太さ）の鉄筋に対応が可能である。鉄筋係止部１０４の種々の形態として、１−Ｂでは、４枚の羽状体１０６からなるものを示している。図のように、羽状体１０６が鉄筋の挿入をしやすくするカーブをもっていてもよいが、カーブが無くともよい。１−Ｃでは、羽状体１０６が更に多数ある場合である。図では、羽状体のみ示したが、柔軟な塊状体でも鉄筋を把持できる。このような鉄筋係止部１０４は、鉄筋を挿入した場合、特に回転しながら挿入したときには、例えば、羽状体１０６では、鉄筋に押されて曲がり、鉄筋が挿入された空間が広がり、羽状体１０６の面が鉄筋を把持する。この図では、羽状体１０６を支える円筒壁部１０７をつけたが、これは、筒状部１０２の一部を兼用してもよく、この場合は、円筒壁部１０７は不要となる。鉄筋係止部１０４の材質は、柔軟性があればよく、金属バネ、合成樹脂、ゴムなどが可能である。尚、傘状部１０３の形状は、きのこのように円形でも、矩形でも良いが、凸面は、人の接触による負傷を緩和するため、なめらかなカーブを持っていた方がよい。
【００１３】
尚、本発明の鉄筋キャップは、金属、合成樹脂、ゴムなどの素材で構成することが出来る。特に、埋め込んで使用する場合を考えて、廃棄物として問題のないもの、金属では鉄、アルミニウム、合成樹脂では生分解性プラスチック、ゴムでは、天然ゴムなどが好ましい。また、筒状部１０２の内側には、人の接触の衝撃を和らげる衝撃緩和部を設けることができ、ゴム、バネ、樹脂膜に封じた粘性油などが用いることができる。
【産業上の利用可能性】
【００１４】
以上の様に、本発明による鉄筋キャップでは、鉄筋係止部が、柔軟な複数の羽状又は、塊状であって、前記筒状部の内壁で長さ方向のみに接続されていて、鉄筋の径に自在に対応して変形することが可能であるため、極めて産業上大きな利用性を有している。
【図面の簡単な説明】
【００１５】
【図１】本発明による鉄筋キャップの斜視図である。
【図２】従来の鉄筋キャップを示す斜視図である。
【符号の説明】
【００１６】
１０１、２０１  鉄筋キャップ
１０２、２０２  筒状部
１０３、２０３  傘状部
１０４、２０４  鉄筋係止部
１０５  筒穴
１０６  羽状体
１０７  円筒壁部
【図１】
2008144383.tif 000003
【図２】
2008144383.tif 000004